(57)【要約】      （修正有）【課題】指定領域からのモバイル・プロセッサ・ベースのデバイスの無断持ち出しを防止するためのシステムおよび方法を提供する。【解決手段】低エネルギー・プロトコルに基づくビーコン技術を利用して、デバイス１０４Ａ、１０４Ｂの無断持ち出しを防止する。ＲＦビーコン送信機１０２Ａ〜１０２Ｃを含む盗難防止ビーコン・システムは、指定領域の出口付近に配置される。デバイスは、盗難防止ビーコン・システムからのビーコン信号を検出する。そのような検出に応答して、デバイスは、指定領域から持ち出されたと決定する。デバイスは、指定領域から持ち出されるとビーコンとして動作する盗難防止アクションを実行する。デバイスが指定領域から持ち出された場合、予備電源がデバイスのビーコンに電力供給し、その結果、一次電源が無効化されている場合であっても、ビーコンがなおも信号をブロードキャストすることができる。【選択図】図１
2018081690.tif 000002
【特許請求の範囲】
【請求項１】
指定領域からのモバイル・プロセッサ・ベースのデバイスの無断持ち出しを検出するためのシステムであって、
前記指定領域の出口付近に配置される盗難防止ビーコン・システムであって、
ＲＦビーコン信号をブロードキャストする無線周波数（ＲＦ）送信機
を備える盗難防止ビーコン・システムと、
モバイル・プロセッサ・ベースのデバイスであって、
ＲＦ受信機を含むビーコン・ネットワーク・インターフェース、
プロセッサ実行可能命令またはデータの少なくとも１つを記憶する少なくとも１つの非一時的プロセッサ可読記憶媒体、および
前記少なくとも１つの非一時的プロセッサ可読記憶媒体に通信可能に結合され、前記ビーコン・ネットワーク・インターフェースに通信可能に結合される少なくとも１つのプロセッサであって、動作時に、
前記ビーコン・ネットワーク・インターフェースの前記ＲＦ受信機を介して、前記盗難防止ビーコン・システムの前記ＲＦ送信機から前記ＲＦビーコン信号を受信し、
前記少なくとも１つのプロセッサによって、前記受信されたＲＦビーコン信号の少なくとも１つの信号特徴を決定し、
前記決定された少なくとも１つの信号特徴に少なくとも部分的に基づいて、前記モバイル・プロセッサ・ベースのデバイスが前記指定領域から持ち出されたと決定し、
前記モバイル・プロセッサ・ベースのデバイスが前記指定領域から持ち出されたという前記決定に少なくとも部分的に基づいて、少なくとも１つの盗難防止アクションを実行する
少なくとも１つのプロセッサ
を備えるモバイル・プロセッサ・ベースのデバイスと
を備える、システム。
【請求項２】
前記ＲＦビーコン信号が、基準信号強度情報を含み、前記モバイル・プロセッサ・ベースのデバイスの前記少なくとも１つのプロセッサが、
前記受信された基準信号強度情報に少なくとも部分的に基づいて、前記受信されたＲＦビーコン信号の少なくとも１つの信号強度を決定する、
請求項１に記載のシステム。
【請求項３】
前記モバイル・プロセッサ・ベースのデバイスの前記ビーコン・ネットワーク・インターフェースが、Ｂｌｕｅｔｏｏｔｈ（登録商標）Ｌｏｗ  Ｅｎｅｒｇｙ（ＢＬＥ）インターフェースを備える、請求項１に記載のシステム。
【請求項４】
前記モバイル・プロセッサ・ベースのデバイスの前記少なくとも１つのプロセッサが、
前記盗難防止ビーコン・システムの前記ＲＦ送信機から受信された複数のＲＦビーコン信号の受信信号強度インジケータ（ＲＳＳＩ）のトレンドを監視する、
請求項１に記載のシステム。
【請求項５】
前記モバイル・プロセッサ・ベースのデバイスの前記少なくとも１つのプロセッサが、
前記モバイル・プロセッサ・ベースのデバイスが前記ビーコン・システムへ向かって移動された場合に、改善された信号強度トレンドを検出し、
前記検出された改善された信号強度トレンドに少なくとも部分的に基づいて、前記モバイル・プロセッサ・ベースのデバイスが前記指定領域から持ち出されたと決定する、
請求項４に記載のシステム。
【請求項６】
前記モバイル・プロセッサ・ベースのデバイスが、
前記ビーコン・ネットワーク・インターフェース、前記少なくとも１つのプロセッサ、および前記少なくとも１つの非一時的プロセッサ可読記憶媒体に電力を供給する一次電源と、
前記一次電源が前記ビーコン・ネットワーク・インターフェースに電力を供給しない場合に、一定期間の間、少なくとも前記ビーコン・ネットワーク・インターフェースに電力を供給するように動作する予備電源と
を備える、請求項１に記載のシステム。
【請求項７】
前記予備電源が、スーパーキャパシタを備える、請求項６に記載のシステム。
【請求項８】
前記予備電源が、取り外し不可能なキャパシタまたは取り外し不可能なバッテリーの少なくとも１つを備える、請求項６に記載のシステム。
【請求項９】
前記モバイル・プロセッサ・ベースのデバイスが、入力インターフェースを備え、前記盗難防止アクションが、前記入力インターフェースの少なくとも一部を無効化することを備える、請求項１に記載のシステム。
【請求項１０】
前記モバイル・プロセッサ・ベースのデバイスが、
視覚出力であって、前記モバイル・プロセッサ・ベースのデバイスが前記指定領域から持ち出されたという前記決定に少なくとも部分的に基づいて、前記少なくとも１つのプロセッサが、前記視覚出力に視覚通知を生成させる、視覚出力、または、
オーディオ出力であって、前記モバイル・プロセッサ・ベースのデバイスが前記指定領域から持ち出されたという前記決定に少なくとも部分的に基づいて、前記少なくとも１つのプロセッサが、前記オーディオ出力にオーディオ通知を生成させる、オーディオ出力
を備える、請求項１に記載のシステム。
【請求項１１】
前記モバイル・プロセッサ・ベースのデバイスが、前記少なくとも１つのプロセッサに通信可能に結合された少なくとも１つの無線通信インターフェースを備え、前記モバイル・プロセッサ・ベースのデバイスの前記少なくとも１つのプロセッサが、
前記モバイル・プロセッサ・ベースのデバイスが前記指定領域から持ち出されたという前記決定に少なくとも部分的に基づいて、前記少なくとも１つの無線通信インターフェースにデータを送信させる、
請求項１に記載のシステム。
【請求項１２】
前記モバイル・プロセッサ・ベースのデバイスの前記少なくとも１つのプロセッサが、前記少なくとも１つの無線通信インターフェースに、前記モバイル・プロセッサ・ベースのデバイスの位置を示すデータを送信させる、請求項１１に記載のシステム。
【請求項１３】
前記モバイル・プロセッサ・ベースのデバイスが、前記少なくとも１つのプロセッサに通信可能に結合された少なくとも１つの無線通信インターフェースを備え、前記モバイル・プロセッサ・ベースのデバイスの前記少なくとも１つのプロセッサが、
前記モバイル・プロセッサ・ベースのデバイスが前記指定領域から持ち出されたという前記決定に少なくとも部分的に基づいて、アプリケーションを無効化する、
請求項１に記載のシステム。
【請求項１４】
前記モバイル・プロセッサ・ベースのデバイスの前記ビーコン・ネットワーク・インターフェースが、ＲＦビーコン送信機を備え、前記モバイル・プロセッサ・ベースのデバイスの前記少なくとも１つのプロセッサが、
前記モバイル・プロセッサ・ベースのデバイスが前記指定領域から持ち出されたという前記決定に応答して、前記ＲＦビーコン送信機にＲＦビーコン信号を送信させる、
請求項１に記載のシステム。
【請求項１５】
前記モバイル・プロセッサ・ベースのデバイスが、
前記ビーコン・ネットワーク・インターフェース、前記少なくとも１つのプロセッサ、および前記少なくとも１つの非一時的プロセッサ可読記憶媒体に電力を供給する一次電源と、
前記一次電源が前記ビーコン・ネットワーク・インターフェースに電力を供給しない場合に、一定期間の間、少なくとも前記ビーコン・ネットワーク・インターフェースに電力を供給するように動作する予備電源と
を備える、請求項１４に記載のシステム。
【請求項１６】
前記一次電源が前記ビーコン・ネットワーク・インターフェースに電力を供給しない場合に、前記予備電源が、一定期間の間、前記ビーコン・ネットワーク・インターフェースのみに電力を供給するように動作する、請求項１４に記載のシステム。
【請求項１７】
前記予備電源が取り外し不可能な電源であり、スーパーキャパシタ、キャパシタ、またはバッテリーの少なくとも１つを備える、請求項１４に記載のシステム。
【請求項１８】
前記指定領域の外に配置されるビーコン・リーダであって、
無線周波数（ＲＦ）ビーコン受信機と、
プロセッサ実行可能命令またはデータの少なくとも１つを記憶する少なくとも１つの非一時的プロセッサ可読記憶媒体と、
前記少なくとも１つの非一時的プロセッサ可読記憶媒体に通信可能に結合され、前記ＲＦ送信機に通信可能に結合される少なくとも１つのプロセッサであって、動作時に、
前記モバイル・プロセッサ・ベースのデバイスが前記指定領域から持ち出されたという前記決定に応答して、前記モバイル・プロセッサ・ベースのデバイスの前記ＲＦビーコン送信機がＲＦビーコン信号を送信した場合に、前記ＲＦビーコン受信機に、前記モバイル・プロセッサ・ベースのデバイスからＲＦビーコン信号を受信させ、
前記モバイル・プロセッサ・ベースのデバイスから受信された前記ＲＦビーコン信号に基づいて、前記モバイル・プロセッサ・ベースのデバイスの位置の標識を提供する
少なくとも１つのプロセッサと
を備えるビーコン・リーダ
をさらに備える、請求項１４に記載のシステム。
【請求項１９】
前記ビーコン・リーダの前記少なくとも１つのプロセッサが、
前記モバイル・プロセッサ・ベースのデバイスと前記ビーコン・リーダとの間の距離の標識を提供する、
請求項１８に記載のシステム。
【請求項２０】
前記ビーコン・リーダが、スマートフォン、タブレット・コンピュータ、ラップトップ・コンピュータ、または固定ビーコン・リーダの少なくとも１つを備える、請求項１８に記載のシステム。
【請求項２１】
指定領域からのモバイル・プロセッサ・ベースのデバイスの無断持ち出しを検出するように盗難防止ビーコン・システムを動作させる方法であって、
モバイル・プロセッサ・ベースのデバイスのビーコン・ネットワーク・インターフェースのＲＦ受信機によって、前記指定領域の出口付近に配置される盗難防止ビーコン・システムのＲＦ送信機からＲＦビーコン信号を受信することと、
前記モバイル・プロセッサ・ベースのデバイスの少なくとも１つのプロセッサによって、前記受信されたＲＦビーコン信号の少なくとも１つの信号特徴を決定することと、
前記モバイル・プロセッサ・ベースのデバイスの前記少なくとも１つのプロセッサによって、前記決定された少なくとも１つの信号特徴に少なくとも部分的に基づいて、前記モバイル・プロセッサ・ベースのデバイスが前記指定領域から持ち出されたと決定することと、
前記モバイル・プロセッサ・ベースのデバイスの前記少なくとも１つのプロセッサによって、前記モバイル・プロセッサ・ベースのデバイスが前記指定領域から持ち出されたという前記決定に少なくとも部分的に基づいて、少なくとも１つの盗難防止アクションを実行することと
を備える、方法。
【請求項２２】
前記指定領域の前記出口付近に前記盗難防止ビーコン・システムを配置すること
をさらに備える、請求項２１に記載の方法。
【請求項２３】
ＲＦビーコン信号を受信することが、前記ビーコン・ネットワーク・インターフェースの前記ＲＦ受信機によってＲＦビーコン信号を受信することを備え、前記モバイル・プロセッサ・ベースのデバイスの前記ビーコン・ネットワーク・インターフェースが、Ｂｌｕｅｔｏｏｔｈ（登録商標）Ｌｏｗ  Ｅｎｅｒｇｙ（ＢＬＥ）インターフェースを備える、請求項２１に記載の方法。
【請求項２４】
前記受信されたＲＦビーコン信号の少なくとも１つの信号特徴を決定することが、前記盗難防止ビーコン・システムの前記ＲＦ送信機から受信された複数のＲＦビーコン信号の受信信号強度インジケータ（ＲＳＳＩ）のトレンドを監視することを備える、請求項２１に記載の方法。
【請求項２５】
前記モバイル・プロセッサ・ベースのデバイスが一次バッテリー電源および予備電源を備え、前記方法が、
前記一次電源が前記ビーコン・ネットワーク・インターフェースに電力を供給しない場合に、一定期間の間、少なくとも前記ビーコン・ネットワーク・インターフェースに前記予備電源によって電力供給すること
をさらに備える、請求項２１に記載の方法。
【請求項２６】
少なくとも前記ビーコン・ネットワーク・インターフェースに電力供給することが、前記予備電源によって少なくとも前記ビーコン・ネットワーク・インターフェースに電力供給することを備え、前記予備電源が、スーパーキャパシタ、キャパシタ、またはバッテリーの少なくとも１つを備える、請求項２５に記載の方法。
【請求項２７】
少なくとも１つの盗難防止アクションを実行することが、
前記少なくとも１つのプロセッサによって、前記モバイル・プロセッサ・ベースのデバイスの入力インターフェースの少なくとも一部を無効化することと、
前記少なくとも１つのプロセッサによって、視覚出力に視覚通知を生成させることと、
前記少なくとも１つのプロセッサによって、オーディオ出力にオーディオ通知を生成させることと
の少なくとも１つを備える、請求項２１に記載の方法。
【請求項２８】
少なくとも１つの盗難防止アクションを実行することが、
前記少なくとも１つのプロセッサによって、前記モバイル・プロセッサ・ベースのデバイスが前記指定領域から持ち出されたという前記決定に少なくとも部分的に基づいて、前記モバイル・プロセッサ・ベースのデバイスの少なくとも１つの無線通信インターフェースにデータを送信させること
を備える、請求項２１に記載の方法。
【請求項２９】
前記少なくとも１つの無線通信インターフェースにデータを送信させることが、前記少なくとも１つの無線通信インターフェースに、前記モバイル・プロセッサ・ベースのデバイスの位置を示すデータを送信させることを備える、請求項２８に記載の方法。
【請求項３０】
少なくとも１つの盗難防止アクションを実行することが、
前記少なくとも１つのプロセッサによって、前記モバイル・プロセッサ・ベースのデバイスが前記指定領域から持ち出されたという前記決定に応答して、前記モバイル・プロセッサ・ベースのデバイスのＲＦビーコン送信機にＲＦビーコン信号を送信させること
を備える、請求項２１に記載の方法。
【請求項３１】
前記モバイル・プロセッサ・ベースのデバイスが、一次バッテリー電源および予備電源を備え、前記方法が、
前記一次電源が前記ビーコン・ネットワーク・インターフェースに電力を供給しない場合に、一定期間の間、少なくとも前記ビーコン・ネットワーク・インターフェースに前記予備電源によって電力供給すること
をさらに備える、請求項３０に記載の方法。
【請求項３２】
少なくとも前記ビーコン・ネットワーク・インターフェースに電力供給することが、前記予備電源によって少なくとも前記ビーコン・ネットワーク・インターフェースに電力供給することを備え、前記予備電源が、スーパーキャパシタ、キャパシタ、またはバッテリーの少なくとも１つを備える、請求項３０に記載の方法。
【請求項３３】
前記モバイル・プロセッサ・ベースのデバイスが前記指定領域から持ち出されたという前記決定に応答して、前記モバイル・プロセッサ・ベースのデバイスの前記ＲＦビーコン送信機がＲＦビーコン信号を送信した場合に、前記指定領域の外に配置されたビーコン・リーダによって、前記モバイル・プロセッサ・ベースのデバイスからＲＦビーコン信号を受信することと、
前記モバイル・プロセッサ・ベースのデバイスから受信された前記ＲＦビーコン信号に基づいて、前記ビーコン・リーダによって、前記モバイル・プロセッサ・ベースのデバイスの位置の標識を提供することと
をさらに備える、請求項３０に記載の方法。
【請求項３４】
前記モバイル・プロセッサ・ベースのデバイスからＲＦビーコン信号を受信することが、スマートフォン、タブレット・コンピュータ、ラップトップ・コンピュータ、または固定ビーコン・リーダの少なくとも１つによって、前記モバイル・プロセッサ・ベースのデバイスからＲＦビーコン信号を受信することを備える、請求項３３に記載の方法。
【請求項３５】
指定領域からのモバイル・プロセッサ・ベースのデバイスの無断持ち出しを検出するためのシステムであって、
ＲＦ受信機を含むビーコン・ネットワーク・インターフェースと、
プロセッサ実行可能命令またはデータの少なくとも１つを記憶する少なくとも１つの非一時的プロセッサ可読記憶媒体と、
前記少なくとも１つの非一時的プロセッサ可読記憶媒体に通信可能に結合され、前記ビーコン・ネットワーク・インターフェースに通信可能に結合される少なくとも１つのプロセッサであって、動作時に、
前記ビーコン・ネットワーク・インターフェースの前記ＲＦ受信機を介して、前記指定領域の出口付近に配置される盗難防止ビーコン・システムからＲＦビーコン信号を受信し、
前記少なくとも１つのプロセッサによって、前記受信されたＲＦビーコン信号の少なくとも１つの信号特徴を決定し、
前記決定された少なくとも１つの信号特徴に少なくとも部分的に基づいて、前記モバイル・プロセッサ・ベースのデバイスが前記指定領域から持ち出されたと決定し、
前記モバイル・プロセッサ・ベースのデバイスが前記指定領域から持ち出されたという前記決定に少なくとも部分的に基づいて、少なくとも１つの盗難防止アクションを実行する
少なくとも１つのプロセッサと
を備えるモバイル・プロセッサ・ベースのデバイス
を備える、システム。
【発明の詳細な説明】
【技術分野】
【０００１】
本開示は、一般には、モバイル・プロセッサ・ベースのデバイスのためのビーコン・ベースの盗難防止保護に関する。
【背景技術】
【０００２】
小売業者は、顧客のショッピング体験を充実させ、顧客満足を高め、顧客ロイヤルティを促進するための新たな方法を常に探求している。セルフ・ショッピングは、顧客に自身のショッピングの主導権を握らせ、その体験を楽しませることによって、売上を向上し経費を削減する技術を小売業者が導入することを可能にする。セルフ・ショッピングの解決策は、買い物客が、店内デバイス、ディスプレイおよびキオスクにアクセスすることによって、店員の助けなしで必要な情報を得ることを可能にする。いくつかの例では、顧客が店内または店外にいる間に、顧客はカスタムのモバイル・プロセッサ・ベースのデバイス上で直接この情報を取得することができる。そのようなカスタムのモバイル・プロセッサ・ベースのデバイスは、個人用ショッピング端末またはセルフ・ショッピング端末と呼ばれることがある。
【０００３】
提供物の一部は、モバイル・ショッピング、商品検索、価格確認、ギフト登録およびセルフ精算を可能にするアプリケーションを含む。この機能の全ては、店内の通信システム（たとえば、Ｗｉ−Ｆｉ（登録商標）、Ｂｌｕｅｔｏｏｔｈ（登録商標））を介してアクセス可能な場合があり、これは買い物客が特定の店舗または商品の情報および店内プロモーションを受信すること可能にする。
【０００４】
セルフ・ショッピングの利益の１つは高速な精算処理であり、これは顧客がレジに近づく前に、カスタム・セルフ・ショッピング・デバイスなどのポータブル・デバイスで購入しようとしているアイテムを「事前にスキャン」すること可能にする。たとえば、顧客は、ポータブル・デバイスの機械可読シンボル・リーダを商品の機械可読シンボル（たとえば、バーコード）に向け、ボタンをクリックしてシンボルをスキャンすることができ、これは次いでポータブル・デバイスのディスプレイ上に商品の説明および価格を表示する。買い物中に、顧客はまた、事前にスキャンされた全ての商品のリストをチェックすることができる場合があり、自身の購入の最新の総額、追加のストア・オファー、プロモーションおよび割引にアクセスすることができる場合がある。顧客の買い物が完了した場合、顧客は単に精算に向かい、セルフ支払キオクスを使用して、カートまたはバッグからいずれの商品も取り出す必要なく支払を行う。これは待ち時間をかなり削減する。
【０００５】
セルフ・ショッピング環境では、店舗またはショッピング・センターの中を移動するときの顧客の位置を追跡することが望ましい場合が多い。たとえば、顧客に商品の方向を提供すること、または近くに配置された商品に関する情報またはプロモーションを顧客に提供することが望ましい場合がある。一般的には、利用可能な空間位置特定技術は、異なる性能要因、たとえば、精度、範囲、受動／能動の挙動などによって特徴付けられる。各技術は、特定の用途の要件に適合する場合がある独自の利点および欠点を有する場合がある。
【発明の概要】
【発明が解決しようとする課題】
【０００６】
買い物中に使用するために顧客に提供されるカスタムのモバイル・プロセッサ・ベースのデバイスは、大きさが比較的小さく、比較的高価な場合がある。したがって、指定領域（たとえば、店内）からのそのようなセルフ・ショッピング・デバイスの偶発的または意図的な持ち出し（すなわち、盗難）を防止することが必要である。
【課題を解決するための手段】
【０００７】
指定領域からのモバイル・プロセッサ・ベースのデバイスの無断持ち出しを検出するためのシステムは、指定領域の出口付近に配置される盗難防止ビーコン・システムであって、ＲＦビーコン信号をブロードキャストする無線周波数（ＲＦ）送信機を含む盗難防止ビーコン・システムと、モバイル・プロセッサ・ベースのデバイスであって、ＲＦ受信機を含むビーコン・ネットワーク・インターフェース、プロセッサ実行可能命令またはデータの少なくとも１つを記憶する少なくとも１つの非一時的プロセッサ可読記憶媒体、および少なくとも１つの非一時的プロセッサ可読記憶媒体に通信可能に結合され、ビーコン・ネットワーク・インターフェースに通信可能に結合される少なくとも１つのプロセッサであって、動作時に、ビーコン・ネットワーク・インターフェースのＲＦ受信機を介して、盗難防止ビーコン・システムのＲＦ送信機からＲＦビーコン信号を受信し、少なくとも１つのプロセッサによって、受信されたＲＦビーコン信号の少なくとも１つの信号特徴を決定し、決定された少なくとも１つの信号特徴に少なくとも部分的に基づいて、モバイル・プロセッサ・ベースのデバイスが指定領域から持ち出されたと決定し、モバイル・プロセッサ・ベースのデバイスが指定領域から持ち出されたという決定に少なくとも部分的に基づいて、少なくとも１つの盗難防止アクションを実行することができる少なくとも１つのプロセッサとを含むモバイル・プロセッサ・ベースのデバイスとを含むものとして要約されることができる。
【０００８】
ＲＦビーコン信号は、基準信号強度情報を含むことができ、モバイル・プロセッサ・ベースのデバイスの少なくとも１つのプロセッサは、受信された基準信号強度情報に少なくとも部分的に基づいて、受信されたＲＦビーコン信号の少なくとも１つの信号強度を決定することができる。モバイル・プロセッサ・ベースのデバイスのビーコン・ネットワーク・インターフェースは、Ｂｌｕｅｔｏｏｔｈ（登録商標）Ｌｏｗ  Ｅｎｅｒｇｙ（ＢＬＥ）インターフェースを含むことができる。モバイル・プロセッサ・ベースのデバイスの少なくとも１つのプロセッサは、盗難防止ビーコン・システムのＲＦ送信機から受信された複数のＲＦビーコン信号の受信信号強度インジケータ（ＲＳＳＩ）のトレンドを監視することができる。モバイル・プロセッサ・ベースのデバイスの少なくとも１つのプロセッサは、モバイル・プロセッサ・ベースのデバイスがビーコン・システムへ向かって移動された場合に、改善された信号強度トレンドを検出し、検出された改善された信号強度トレンドに少なくとも部分的に基づいて、モバイル・プロセッサ・ベースのデバイスが指定領域から持ち出されたと決定することができる。モバイル・プロセッサ・ベースのデバイスは、ビーコン・ネットワーク・インターフェース、少なくとも１つのプロセッサ、および少なくとも１つの非一時的プロセッサ可読記憶媒体に電力を供給する一次電源と、一次電源がビーコン・ネットワーク・インターフェースに電力を供給しない場合に、一定期間の間、少なくともビーコン・ネットワーク・インターフェースに電力を供給するように動作する予備電源とを含むことができる。予備電源は、スーパーキャパシタを含むことができる。予備電源は、取り外し不可能なキャパシタまたは取り外し不可能なバッテリーの少なくとも１つを含むことができる。モバイル・プロセッサ・ベースのデバイスは、入力インターフェースを含むことができ、盗難防止アクションは、入力インターフェースの少なくとも一部を無効化することを含むことができる。
【０００９】
モバイル・プロセッサ・ベースのデバイスは、視覚出力であって、モバイル・プロセッサ・ベースのデバイスが指定領域から持ち出されたという決定に少なくとも部分的に基づいて、少なくとも１つのプロセッサが、視覚出力に視覚通知を生成させる、視覚出力、または、オーディオ出力であって、モバイル・プロセッサ・ベースのデバイスが指定領域から持ち出されたという決定に少なくとも部分的に基づいて、少なくとも１つのプロセッサが、オーディオ出力にオーディオ通知を生成させる、オーディオ出力を含むことができる。モバイル・プロセッサ・ベースのデバイスは、少なくとも１つのプロセッサに通信可能に結合された少なくとも１つの無線通信インターフェースを含むことができ、モバイル・プロセッサ・ベースのデバイスの少なくとも１つのプロセッサは、モバイル・プロセッサ・ベースのデバイスが指定領域から持ち出されたという決定に少なくとも部分的に基づいて、少なくとも１つの無線通信インターフェースにデータを送信させることができる。モバイル・プロセッサ・ベースのデバイスの少なくとも１つのプロセッサは、少なくとも１つの無線通信インターフェースに、モバイル・プロセッサ・ベースのデバイスの位置を示すデータを送信させることができる。
【００１０】
モバイル・プロセッサ・ベースのデバイスは、少なくとも１つのプロセッサに通信可能に結合された少なくとも１つの無線通信インターフェースを含むことができ、モバイル・プロセッサ・ベースのデバイスの少なくとも１つのプロセッサは、モバイル・プロセッサ・ベースのデバイスが指定領域から持ち出されたという決定に少なくとも部分的に基づいて、アプリケーションを無効化することができる。モバイル・プロセッサ・ベースのデバイスのビーコン・ネットワーク・インターフェースは、ＲＦビーコン送信機を含むことができ、モバイル・プロセッサ・ベースのデバイスの少なくとも１つのプロセッサは、モバイル・プロセッサ・ベースのデバイスが指定領域から持ち出されたという決定に応答して、ＲＦビーコン送信機にＲＦビーコン信号を送信させることができる。
【００１１】
モバイル・プロセッサ・ベースのデバイスは、ビーコン・ネットワーク・インターフェース、少なくとも１つのプロセッサ、および少なくとも１つの非一時的プロセッサ可読記憶媒体に電力を供給する一次電源と、一次電源がビーコン・ネットワーク・インターフェースに電力を供給しない場合に、一定期間の間、少なくともビーコン・ネットワーク・インターフェースに電力を供給するように動作する予備電源とを含むことができる。一次電源がビーコン・ネットワーク・インターフェースに電力を供給しない場合に、予備電源は、一定期間の間、ビーコン・ネットワーク・インターフェースのみに電力を供給するように動作することができる。予備電源は取り外し不可能な電源とすることができ、スーパーキャパシタ、キャパシタ、またはバッテリーの少なくとも１つを含むことができる。
【００１２】
システムは、指定領域の外に配置されるビーコン・リーダであって、無線周波数（ＲＦ）ビーコン受信機と、プロセッサ実行可能命令またはデータの少なくとも１つを記憶する少なくとも１つの非一時的プロセッサ可読記憶媒体と、少なくとも１つの非一時的プロセッサ可読記憶媒体に通信可能に結合され、ＲＦ送信機に通信可能に結合される少なくとも１つのプロセッサであって、動作時に、モバイル・プロセッサ・ベースのデバイスが指定領域から持ち出されたという決定に応答して、モバイル・プロセッサ・ベースのデバイスのＲＦビーコン送信機がＲＦビーコン信号を送信した場合に、ＲＦビーコン受信機に、モバイル・プロセッサ・ベースのデバイスからＲＦビーコン信号を受信させ、モバイル・プロセッサ・ベースのデバイスから受信されたＲＦビーコン信号に基づいて、モバイル・プロセッサ・ベースのデバイスの位置の標識を提供することができる少なくとも１つのプロセッサとを含むビーコン・リーダをさらに含むことができる。ビーコン・リーダの少なくとも１つのプロセッサは、モバイル・プロセッサ・ベースのデバイスとビーコン・リーダとの間の距離の標識を提供することができる。ビーコン・リーダは、スマートフォン、タブレット・コンピュータ、ラップトップ・コンピュータ、または固定ビーコン・リーダの少なくとも１つを含むことができる。
【００１３】
指定領域からのモバイル・プロセッサ・ベースのデバイスの無断持ち出しを検出するように盗難防止ビーコン・システムを動作させる方法は、モバイル・プロセッサ・ベースのデバイスのビーコン・ネットワーク・インターフェースのＲＦ受信機によって、指定領域の出口付近に配置される盗難防止ビーコン・システムのＲＦ送信機からＲＦビーコン信号を受信することと、モバイル・プロセッサ・ベースのデバイスの少なくとも１つのプロセッサによって、受信されたＲＦビーコン信号の少なくとも１つの信号特徴を決定することと、モバイル・プロセッサ・ベースのデバイスの少なくとも１つのプロセッサによって、決定された少なくとも１つの信号特徴に少なくとも部分的に基づいて、モバイル・プロセッサ・ベースのデバイスが指定領域から持ち出されたと決定することと、モバイル・プロセッサ・ベースのデバイスの少なくとも１つのプロセッサによって、モバイル・プロセッサ・ベースのデバイスが指定領域から持ち出されたという決定に少なくとも部分的に基づいて、少なくとも１つの盗難防止アクションを実行することとを含むものとして要約されることができる。
【００１４】
方法は、指定領域の出口付近に盗難防止ビーコン・システムを配置することをさらに含むことができる。ＲＦビーコン信号を受信することは、ビーコン・ネットワーク・インターフェースのＲＦ受信機によってＲＦビーコン信号を受信することを含むことができ、モバイル・プロセッサ・ベースのデバイスのビーコン・ネットワーク・インターフェースは、Ｂｌｕｅｔｏｏｔｈ（登録商標）Ｌｏｗ  Ｅｎｅｒｇｙ（ＢＬＥ）インターフェースを含むことができる。受信されたＲＦビーコン信号の少なくとも１つの信号特徴を決定することは、盗難防止ビーコン・システムのＲＦ送信機から受信された複数のＲＦビーコン信号の受信信号強度インジケータ（ＲＳＳＩ）のトレンドを監視することを含むことができる。
【００１５】
モバイル・プロセッサ・ベースのデバイスは、一次バッテリー電源および予備電源を含むことができ、一次電源がビーコン・ネットワーク・インターフェースに電力を供給しない場合に、一定期間の間、少なくともビーコン・ネットワーク・インターフェースに予備電源によって電力供給することをさらに含むことができる。少なくともビーコン・ネットワーク・インターフェースに電力供給することは、予備電源によって少なくともビーコン・ネットワーク・インターフェースに電力供給することを含むことができ、予備電源は、スーパーキャパシタ、キャパシタ、またはバッテリーの少なくとも１つを含むことができる。少なくとも１つの盗難防止アクションを実行することは、少なくとも１つのプロセッサによって、モバイル・プロセッサ・ベースのデバイスの入力インターフェースの少なくとも一部を無効化することと、少なくとも１つのプロセッサによって、視覚出力に視覚通知を生成させることと、少なくとも１つのプロセッサによって、オーディオ出力にオーディオ通知を生成させることとの少なくとも１つを含むことができる。少なくとも１つの盗難防止アクションを実行することは、少なくとも１つのプロセッサによって、モバイル・プロセッサ・ベースのデバイスが指定領域から持ち出されたという決定に少なくとも部分的に基づいて、モバイル・プロセッサ・ベースのデバイスの少なくとも１つの無線通信インターフェースにデータを送信させることを含むことができる。少なくとも１つの無線通信インターフェースにデータを送信させることは、少なくとも１つの無線通信インターフェースに、モバイル・プロセッサ・ベースのデバイスの位置を示すデータを送信させることを含むことができる。少なくとも１つの盗難防止アクションを実行することは、少なくとも１つのプロセッサによって、モバイル・プロセッサ・ベースのデバイスが指定領域から持ち出されたという決定に応答して、モバイル・プロセッサ・ベースのデバイスのＲＦビーコン送信機にＲＦビーコン信号を送信させることを含むことができる。
【００１６】
モバイル・プロセッサ・ベースのデバイスは、一次バッテリー電源および予備電源を含むことができ、方法は、一次電源がビーコン・ネットワーク・インターフェースに電力を供給しない場合に、一定期間の間、少なくともビーコン・ネットワーク・インターフェースに予備電源によって電力供給することをさらに含むことができる。少なくともビーコン・ネットワーク・インターフェースに電力供給することは、予備電源によって少なくともビーコン・ネットワーク・インターフェースに電力供給することを含むことができ、予備電源は、スーパーキャパシタ、キャパシタ、またはバッテリーの少なくとも１つを含むことができる。
【００１７】
方法は、モバイル・プロセッサ・ベースのデバイスが指定領域から持ち出されたという決定に応答して、モバイル・プロセッサ・ベースのデバイスのＲＦビーコン送信機がＲＦビーコン信号を送信した場合に、指定領域の外に配置されたビーコン・リーダによって、モバイル・プロセッサ・ベースのデバイスからＲＦビーコン信号を受信することと、モバイル・プロセッサ・ベースのデバイスから受信されたＲＦビーコン信号に基づいて、ビーコン・リーダによって、モバイル・プロセッサ・ベースのデバイスの位置の標識を提供することとをさらに含むことができる。モバイル・プロセッサ・ベースのデバイスからＲＦビーコン信号を受信することは、スマートフォン、タブレット・コンピュータ、ラップトップ・コンピュータ、または固定ビーコン・リーダの少なくとも１つによって、モバイル・プロセッサ・ベースのデバイスからＲＦビーコン信号を受信することを含むことができる。
【００１８】
指定領域からのモバイル・プロセッサ・ベースのデバイスの無断持ち出しを検出するためのシステムは、ＲＦ受信機を含むビーコン・ネットワーク・インターフェースと、プロセッサ実行可能命令またはデータの少なくとも１つを記憶する少なくとも１つの非一時的プロセッサ可読記憶媒体と、少なくとも１つの非一時的プロセッサ可読記憶媒体に通信可能に結合され、ビーコン・ネットワーク・インターフェースに通信可能に結合される少なくとも１つのプロセッサであって、動作時に、ビーコン・ネットワーク・インターフェースのＲＦ受信機を介して、指定領域の出口付近に配置される盗難防止ビーコン・システムからＲＦビーコン信号を受信し、少なくとも１つのプロセッサによって、受信されたＲＦビーコン信号の少なくとも１つの信号特徴を決定し、決定された少なくとも１つの信号特徴に少なくとも部分的に基づいて、モバイル・プロセッサ・ベースのデバイスが指定領域から持ち出されたと決定し、モバイル・プロセッサ・ベースのデバイスが指定領域から持ち出されたという決定に少なくとも部分的に基づいて、少なくとも１つの盗難防止アクションを実行する少なくとも１つのプロセッサとを含むモバイル・プロセッサ・ベースのデバイスを含むものとして要約されることができる。
【００１９】
図面では、同一の参照符号は類似の要素または行為を識別する。図面における要素の大きさおよび相対位置は必ずしも縮尺通りに描かれていない。たとえば、様々な要素の形状および角度は必ずしも縮尺通りに描かれておらず、これらの要素の一部は、図面の視認性を向上させるために任意に拡大され配置される場合がある。さらに、図示された要素の特定の形状は、特定の要素の実際の形状に関する任意の情報を伝えることを必ずしも意図しておらず、図面における認識し易さだけのために選択されている場合がある。
【図面の簡単な説明】
【００２０】
【図１】一例示的実装による、ビーコン・ベースの盗難防止システムのための例示的な動作環境の概略図である。
【図２】一例示的実装による、ビーコン・ベースの盗難防止システムのモバイル・プロセッサ・ベースのデバイスのためのアーキテクチャの概略ブロック図である。
【図３】一例示的実装による、ビーコン・ベースの盗難防止システムが指定領域に配備されることができる環境の概略図である。
【図４】一例示的実装による、指定領域からのモバイル・プロセッサ・ベースのデバイスの無断持ち出しを防止するようにビーコン・ベースの盗難防止システムを動作させる方法の流れ図である。
【図５】一例示的実装による、モバイル・プロセッサ・ベースのデバイスの一次電源が無効化されている場合に、指定領域からのモバイル・プロセッサ・ベースのデバイスの無断持ち出しを防止するようにビーコン・ベースの盗難防止システムを動作させる方法の流れ図である。
【図６】一例示的実装による、指定領域からのモバイル・プロセッサ・ベースのデバイスの無断持ち出しを防止するようにビーコン・ベースの盗難防止システムを動作させる方法であって、指定領域から持ち出されたことに応答して、モバイル・プロセッサ・ベースのデバイスがその動作を修正し、および／またはデータを送信する、方法の流れ図である。
【図７】一例示的実装による、指定領域からのモバイル・プロセッサ・ベースのデバイスの無断持ち出しを防止するようにビーコン・ベースの盗難防止システムを動作させる方法であって、指定領域から持ち出されたことに応答して、モバイル・プロセッサ・ベースのデバイスが、１つまたは複数のビーコン・リーダによって検出可能なビーコン信号の送信を開始する、方法の流れ図である。
【発明を実施するための形態】
【００２１】
以下の説明では、様々な開示された実装の完全な理解を与えるために、特定の具体的な詳細が記載されている。しかしながら、関連技術分野の当業者であれば、これらの具体的な詳細の１つまたは複数がなくとも、または他の方法、構成要素、材料などを用いて、実装が実施されることができることを認識するであろう。他の例では、実装の説明を不必要に不明瞭にしないために、コンピュータ・システム、サーバ・コンピュータ、および／または通信ネットワークに関連するよく知られている構造は、図示も詳細な説明もされていない。
【００２２】
文脈が別途必要しない限り、本明細書および後の特許請求の範囲全体にわたって、「備える」という単語は「含む」と同義であり、包含的またはオープン・エンドである（すなわち、追加の列挙されていない要素または方法の行為を排除するものではない）。
【００２３】
本明細書全体にわたる「一実装」または「１つの実装」への言及は、その実装に関連して説明される特定の特徴、構造または特性が少なくとも１つの実装に含まれることを意味する。したがって、本明細書全体にわたる様々な場所での「一実装では」または「１つの実装では」という文言の出現は、必ずしも全て同一の実装を指すものではない。さらに、特定の特徴、構造または特性は、１つまたは複数の実装において任意の適切な方法で組み合わせられることができる。
【００２４】
本明細書および添付の特許請求の範囲で使用される場合、単数形「ａ」、「ａｎ」および「ｔｈｅ」は、文脈が明確に別途指示しない限り、複数の指示対象を含む。また、「または」という用語が、文脈が明確に別途指示しない限り、「および／または」を含む意味で全体的に使用されていることに留意されたい。
【００２５】
本明細書で与えられた本開示の見出しおよび要約は、便宜上のものにすぎず、実装の範囲または意味を解釈したものではない。
【００２６】
本開示の１つまたは複数の実装は、指定領域（たとえば、ショッピング・エリア内）からのモバイル・プロセッサ・ベースのデバイスの無断持ち出しを防止するシステムおよび方法を対象とする。少なくともいくつかの実装では、本明細書で論じられるシステムは、複数のモバイル・プロセッサ・ベースのデバイスの無断持ち出しを防止するために、低エネルギーのプロトコル（たとえば、Ｂｌｕｅｔｏｏｔｈ（登録商標）Ｌｏｗ  Ｅｎｅｒｇｙ（ＢＬＥ））に基づく１つまたは複数のビーコン技術（たとえば、ｉＢｅａｃｏｎ（登録商標）、Ｅｄｄｙｓｔｏｎｅ（登録商標））を利用する。
【００２７】
一般的に、広告モードで作動するビーコン・システムは、ビーコン信号を周辺環境に放出する。ビーコン信号は、ビーコン信号を送信しているビーコンの識別子を含む情報を符号化することができる。たとえば、識別子は、汎用一意識別子（ＵＵＩＤ：ｕｎｉｖｅｒｓａｌｌｙ  ｕｎｉｑｕｅ  ｉｄｅｎｔｉｆｉｅｒ）とすることができる。また、ビーコン信号は、基準信号強度情報または送信電力情報、たとえば、ビーコンから特定の距離（たとえば１メートル）におけるＲＳＳＩの予想レベルを符号化することができる。このビーコン信号は、１つまたは複数のモバイル・プロセッサ・ベースのデバイスから受信され、これらはビーコン信号を取得し、信号を処理して、信号の受信信号強度に基づいてモバイル・プロセッサ・ベースのデバイスとビーコン・システムとの間の距離を推定する。一般的に、モバイル・プロセッサ・ベースのデバイスとビーコン・システムとの間の距離は、送信において指示された信号の１つまたは複数の送信電力と、それらの信号を受信したモバイル・プロセッサ・ベースのデバイスによって決定されるそれらの信号の受信強度との差分を計算することによって決定されることができる。差分は、たとえば、信号の１つまたは複数の信号強度の減少を決定し、減少と、媒体中の既知の損失特性とに基づいて距離を決定することによって計算されることができる。
【００２８】
少なくともいくつかの実装では、ＲＦビーコン送信機を含む盗難防止ビーコン・システムは、指定されたショッピング・エリアの出口付近に配置されることができる。指定領域に留まることが意図される複数のモバイル・プロセッサ・ベースのデバイスはそれぞれ、盗難防止ビーコン・システムのＲＦビーコン送信機からのＲＦビーコン信号を検出するように動作する専用または共有のビーコン・ネットワーク・インターフェースが装備されることができる。モバイル・プロセッサ・ベースのデバイスが盗難防止ビーコン・システムの近くにあり、したがって指定領域の出口の近くにあるときにＲＦビーコン信号を検出したことに応答して、モバイル・プロセッサ・ベースのデバイス上で実行中のアプリケーションは、モバイル・プロセッサ・ベースのデバイスが指定領域から持ち出される途中であるか、または指定領域から持ち出されたと決定することができる。そのような決定に応答して、モバイル・プロセッサ・ベースのデバイスは、１つまたは複数の盗難防止アクションを実行することができる。
【００２９】
そのような盗難防止アクションは、たとえば、モバイル・プロセッサ・ベースのデバイスの入力インターフェース（たとえば、キー、タッチスクリーン）をロックすること、オーディオ出力（たとえば、アラーム音、音声メッセージ）を生成すること、視覚出力（たとえば、点滅光、ディスプレイ上のメッセージ）を生成すること、あるいはモバイル・プロセッサ・ベースのデバイス上で実行中の１つまたは複数のアプリケーションを無効化することを含むことができる。
【００３０】
少なくともいくつかの実装では、盗難防止アクションは、モバイル・プロセッサ・ベースのデバイスによってビーコン信号を送信することを含むことができる。そのようなビーコン信号は、１つまたは複数のモバイル・ビーコン・リーダ（たとえば、スマートフォン、タブレット・コンピュータ、ラップトップ・コンピュータ）、ならびに／あるいは指定領域外に配置された１つまたは複数の固定ビーコン・リーダによって検出可能にすることができる。以下でさらに論じられるように、１つまたは複数のビーコン・リーダは、モバイル・プロセッサ・ベースのデバイスから受信されたビーコン信号を利用して、指定領域に関連する社員、たとえば、店舗の従業員に、指定領域から持ち出されたモバイル・プロセッサ・ベースのデバイスの位置に関する情報を提供することによって、モバイル・プロセッサ・ベースのデバイスが回収されるようにすることができる。
【００３１】
少なくともいくつかの実装では、モバイル・プロセッサ・ベースのデバイスは、一次電源が無効化されている場合に、一定期間（たとえば、２分、１０分、６０分）の間、少なくともビーコン・ネットワーク・インターフェースに電力を供給する任意選択の予備電源が装備されることができる。そのようなものは、ユーザがモバイル・プロセッサ・ベースのデバイスをオフ状態にするか、またはモバイル・プロセッサ・ベースのデバイスから一次電源（たとえば、バッテリー）を取り外した場合であっても、モバイル・プロセッサ・ベースのデバイスに一定期間の間、情報（たとえば、ビーコン信号、位置データ）の送信を継続させることができる。予備電源を含む実装では、予備電源は、１つまたは複数のキャパシタ、１つまたは複数のスーパーキャパシタ、１つまたは複数のバッテリーなどを含むことができる。予備電源は一次電源と独立にすることができ、または一次電源が有効化された場合に、一次電源から受け取られたエネルギーを蓄積することができる。一般的に、少なくともいくつかの実装では、予備電源はユーザによって簡単に取り外すことができない。そのような特徴は、本明細書では、「取り外し不可能な」予備電源と呼ばれることがある。
【００３２】
図１は、複数のビーコン・システム１０２Ａ−１０２Ｃ、総称してビーコン１０２と、１つまたは複数のモバイル・プロセッサ・ベースのデバイス１０４Ａおよび１０４Ｂ、総称してモバイル・プロセッサ・ベースのデバイス１０４とを含む盗難防止ビーコン・システム１００のための例示的な環境を示す。以下で詳細に論じられるように、動作時に、モバイル・プロセッサ・ベースのデバイス１０４の１つまたは複数のプロセッサは、ビーコン・システム１０２から信号を受信し処理することによって、ビーコン・システム１０２の１つまたは複数までの距離または「範囲」を推定する。環境は、屋外環境、たとえば、歩道もしくは囲まれた領域（ｅｎｃｌｏｓｅｄ  ａｒｅａ）とすることができ、または屋内環境、たとえば、建物（たとえば、小売店、ショッピング・センター）とすることができ、あるいは屋外環境および屋内環境の組み合わせとすることができる。壁および天井に加えて、盗難防止ビーコン・システム１００の環境は、様々な家具、構造物、顧客および他の物体を含むことができる。モバイル・プロセッサ・ベースのデバイス１０４は、たとえば、カスタムの個人用ショッピング端末とすることができ、または上記で論じられた、指定領域で使用するための任意のデバイスとすることができる。
【００３３】
図３に関連して以下でさらに論じられるように、環境は、モバイル・プロセッサ・ベースのデバイスが留まるべき１つまたは複数の指定領域を含むことができる。そのような実装では、ビーコン１０２の各々が、指定領域のそれぞれの出口付近に配置されることができる。以下でさらに論じられるように、ビーコン１０２が、盗難防止ビーコン・システム１００によって、指定領域からのモバイル・プロセッサ・ベースのデバイス１０４の無断持ち出しを防止するために使用されることができる。追加的または代替的には、ビーコン１０２の１つまたは複数が、モバイル・プロセッサ・ベースのデバイス１０４の位置情報を決定するために利用されることができ、その位置情報は、ユーザのショッピング体験を充実させるために使用されることができる。
【００３４】
モバイル・プロセッサ・ベースのデバイス１０４は、ビーコン１０２から送信されたＲＦ信号（たとえば、ビーコン送信）から取得されるＲＦ信号測定値を使用して距離を推定することができる。ＲＦ信号測定値の一例は受信信号強度インジケータ（ＲＳＳＩ）であり、これはモバイル・プロセッサ・ベースのデバイス１０４のアンテナによって受信される電力レベルの標識である。
【００３５】
図１に示されるように、モバイル・プロセッサ・ベースのデバイス１０４は、１つまたは複数の有線および／または無線ネットワーク１１０を介して他のプロセッサ・ベースのシステムと通信することができる。一例として、モバイル・プロセッサ・ベースのデバイス１０４Ｂは、無線ネットワーク１１２、たとえばセルラー・ネットワークに接続することができ、これはゲートウェイ１１６を介してワイド・エリア・ネットワーク１１４（たとえば、インターネット）と通信することができる。同様に、モバイル・プロセッサ・ベースのデバイス１０４Ａは、ワイド・エリア・ネットワーク１１４への通信アクセスを提供するアクセス・ポイント１１８と通信することができる。いくつかの実装では、音声通信およびデータ通信の両方が、有線／無線ネットワーク１１０を介して確立されることができる。また、モバイル・プロセッサ・ベースのデバイス１０４は、１つまたは複数の有線および／または無線通信サブシステムを使用して、互いとのピア・ツー・ピア通信を確立することができる。また、他の通信プロトコルおよびトポロジが実装されることができる。
【００３６】
いくつかの実装では、モバイル・プロセッサ・ベースのデバイス１０４は、１つまたは複数の有線および／または無線ネットワーク１１０を介して１つまたは複数のサービス１２０と通信することができる。たとえば、１つまたは複数のサービス１２０は、位置ベースのナビゲーション情報、プロモーション情報、または他の位置ベースの情報をモバイル・プロセッサ・ベースのデバイス１０４に提供することができる。１つまたは複数のサービス１２０は、本明細書で論じられる盗難防止機能の少なくとも一部を含むことができる。１つまたは複数のサービス１２０は、特定の小売店または小売店チェーン、特定のブランド、セキュリティ・サービス、あるいは任意の他の１つまたは複数のエンティティに関連付けられることができる。
【００３７】
図２は、モバイル・プロセッサ・ベースのデバイス１０４（たとえば、セルフ・ショッピング端末）の例示的なアーキテクチャを示す。モバイル・プロセッサ・ベースのデバイス１０４は、１つまたは複数のプロセッサ２０２、メモリ・インターフェース２０４および周辺機器インターフェース２０６を含むことができ、これらは分離した構成要素とすることができ、または１つまたは複数の集積回路に統合されることができる。１つまたは複数の通信バスまたは信号線は、様々な構成要素を結合することができる。
【００３８】
図示されたように、様々なセンサ、デバイス、およびサブシステムは、複数の機能を促進するために、周辺機器インターフェース２０６に結合されることができる。たとえば、センサ・サブシステム２０８が、周辺機器インターフェース２０６に結合されることができる。センサ・サブシステム２０８は、たとえば、モーション・センサ、光センサ、近接センサ、温度センサ、生体センサ、または他のセンシング・デバイスを含むことによって、関連する機能を促進することができる。
【００３９】
また、モバイル・プロセッサ・ベースのデバイス１０４は、地理的測位を提供するために周辺機器インターフェース２０６に動作可能に結合されたロケーション・プロセッサ２１０（たとえば、ＧＰＳ受信機、Ｗｉ−Ｆｉ（登録商標）ベースバンド・プロセッサ）を含むことができる。また、モバイル・プロセッサ・ベースのデバイス１０４は、たとえば、写真およびビデオの撮影などのカメラ機能を促進するためのカメラ・サブシステム２１２を含むことができる。
【００４０】
また、モバイル・プロセッサ・ベースのデバイス１０４は、オーディオ出力を提供するための１つまたは複数のスピーカーと、音声対応機能、たとえば、音声認識、音声複製、デジタル記録、および電話機能を促進するための１つまたは複数のマイクロフォンとを含むことができるオーディオ・サブシステム２１４を含むことができる。
【００４１】
モバイル・プロセッサ・ベースのデバイス１０４のＩ／Ｏサブシステム２１６は、タッチ・コントローラおよび／または他の入力コントローラを含むことができる。タッチ・コントローラは、いくつかのタッチ感度技術、たとえば、限定はされないが、容量、抵抗、赤外線、および弾性表面波の技術のいずれかを使用して接触および移動を検出するためのタッチ面に結合されることができる。Ｉ／Ｏサブシステム２１６は、他の入力／制御デバイス、たとえば、１つまたは複数のキー、ボタン、ロッカー・スイッチ、サム・ホイール、赤外線ポート、ＵＳＢポート、および／またはポインタ・デバイスたとえばスタイラスに結合されることができる他の入力コントローラを含むことができる。
【００４２】
通信機能および測距機能は、通信サブシステム２１８および／またはビーコン・ネットワーク・インターフェース２３４を介して促進されることができる。通信サブシステム２１８は、１つまたは複数の無線通信サブシステムを含むことができる。無線通信サブシステムは、ＲＦ受信機および送信機、ならびに／あるいは光学（たとえば、赤外線）受信機および送信機を含むことができる。有線通信サブシステムは、ポート・デバイス、たとえば、ユニバーサル・シリアル・バス（ＵＳＢ）ポート、または他のコンピューティング・デバイスへの有線接続を確立するために使用されることができる他の有線ポート接続を含むことができる。通信サブシステム２１８の特定の設計および実装は、デバイスが動作することが意図される通信ネットワークまたは媒体に依存することができる。たとえば、デバイスは、グローバル・システム・フォー・モバイル通信（ＧＳＭ（登録商標））ネットワーク、ＧＰＲＳネットワーク、拡張データＧＳＭ環境（ＥＤＧＥ）ネットワーク、８０２．ｘ通信ネットワーク（たとえば、Ｗｉ−Ｆｉ（登録商標））、符号分割多元接続（ＣＤＭＡ）ネットワーク、ＮＦＣネットワーク、Ｂｌｕｅｔｏｏｔｈ（登録商標）ネットワーク、および／またはＢｌｕｅｔｏｏｔｈ（登録商標）Ｌｏｗ  Ｅｎｅｒｇｙ（ＢＬＥ）ネットワークを介して動作するように設計された無線通信サブシステムを含むことができる。
【００４３】
ビーコン・ネットワーク・インターフェース２３４は、１つまたは複数の通信サブシステム２１８から分離することができ、または統合されることができる。ビーコン・ネットワーク・インターフェース２３４は、たとえば、プロセッサ（たとえば、マイクロコントローラ）、および無線機（たとえば、ＢＬＥ無線機）を含むことができる。ビーコン・ネットワーク・インターフェース２３４は、少なくとも１つのプロセッサ２０２に通信可能に結合されることができ、その結果、プロセッサ２０２によって実行される１つまたは複数のアプリケーションは、ビーコン・ネットワーク・インターフェース２３４を利用して、ビーコン信号を受信するおよび／またはブロードキャストすることができる。
【００４４】
メモリ・インターフェース２０４は、メモリ２２０に動作可能に結合されることができ、これは、高速ランダム・アクセス・メモリまたは不揮発性メモリ、たとえば、１つまたは複数の磁気ディスク記憶デバイス、１つまたは複数の光学記憶デバイス、あるいはフラッシュ・メモリを含むことができる。メモリ２２０はオペレーティング・システム（ＯＳ）２２２を記憶することができ、これは、基本システム・サービスを処理し、ハードウェア依存タスクを実行するための命令を含むことができる。
【００４５】
また、メモリ２２０は、１つまたは複数のデバイス、あるいは１つまたは複数のコンピュータまたはサーバとの通信を促進するための通信命令２２４を記憶することができる。また、メモリ２２０は、タッチ入力およびジェスチャを解釈するためのタッチ・モデルを含むグラフィック・ユーザ・インターフェース処理を促進するためのグラフィカル・ユーザ・インターフェース（ＧＵＩ）命令２２６と、電話関連の処理および機能を促進するための電話命令２２８とを、モバイル・プロセッサ・ベースのデバイス１０４がそのような機能を提供する実装のために、含むことができる。
【００４６】
また、メモリ２２０は、様々な機能、たとえば、電子メッセージング、ウェブ・ブランジング、メディア処理、ナビゲーションなどを促進するアプリケーション２３０を記憶することができる。また、メモリ２２０は、図１−７に関して本明細書に記載された様々な機能を促進することができるビーコン処理命令またはアプリケーション２３２を記憶することができる。ビーコン処理アプリケーション２３２の機能は、１つまたは複数の他のアプリケーション２３０から分離することができ、または統合されることができる。
【００４７】
一例として、ビーコン処理アプリケーション２３２は、モバイル・プロセッサ・ベースのデバイス１０４においてバッググラウンドで動作することができ、ビーコン・アプリケーション２３２または他のアプリケーション２３０（たとえば、小売店アプリケーション）に関連付けられた一意の識別子を有する１つまたは複数の無線信号が受信された場合にのみ、アクティブとなることができる。たとえば、モバイル・プロセッサ・ベースのデバイス１０４は、特定の小売店または小売店チェーンに関連付けられたソフトウェア・アプリケーションを含むことができる。ソフトウェア・アプリケーションは、モバイル・プロセッサ・ベースのデバイスのメモリ２２０にロードされることができ、店舗または店舗チェーンによって使用される汎用一意識別子（ＵＵＩＤ）に関する情報を含むことができる。ソフトウェア・アプリケーションは、モバイル・プロセッサ・ベースのデバイス１０４によって受信される様々なＵＵＩＤを監視することができ、モバイル・プロセッサ・ベースのデバイスが、盗難防止ビーコンに関連付けられた１つまたは複数のＵＵＩＤを含む、小売店または小売店チェーンに関連付けられた１つまたは複数のＵＵＩＤをいつ受信したかを決定することができる。次いで、ソフトウェア・アプリケーションは、本明細書で開示された技法の１つまたは複数を使用して位置を決定することができる。ソフトウェア・アプリケーションが、受信されたビーコン信号に基づいて、モバイル・プロセッサ・ベースのデバイス１０４が指定領域から持ち出されたと決定した場合、プロセッサ２０２は、以下でさらに論じられる１つまたは複数の盗難防止アクションを実行することができる。
【００４８】
また、モバイル・プロセッサ・ベースのデバイス１０４は、モバイル・プロセッサ・ベースのデバイス１０４の様々な構成要素に電力を供給する一次電源２３６を含む。たとえば、一次電源２３６は、モバイル・プロセッサ・ベースのデバイス１０４の筐体から取り外し可能または取り外し不可能な交換可能または充電可能バッテリー（たとえば、リチウム・イオン・バッテリー）とすることができる。一例として、一次電源は充電可能バッテリーとすることができ、モバイル・プロセッサ・ベースのデバイス１０４は、一次電源を充電するためにＤＣ電力を受信するインターフェース（たとえば、ＵＳＢ（登録商標）、マイクロＵＳＢ（登録商標））を含むことができる。
【００４９】
少なくともいくつかの実装では、モバイル・プロセッサ・ベースのデバイス１０４は、一次電源２３６が無効化されているかあるいはビーコン・ネットワーク・インターフェース２３４に電力を供給していない場合に、少なくともビーコン・ネットワーク・インターフェース２３４に電力供給するように動作する任意選択の予備電源２３８を含む。予備電源２３８は、任意選択により、特定の用途および予備電源の容量に応じて、モバイル・プロセッサ・ベースのデバイス１０４の他の構成要素、たとえば、プロセッサ２０２、Ｉ／Ｏサブシステム２１６（たとえば、ディスプレイ、スピーカー）、通信サブシステム２１８、カメラ・サブシステム２１２、および／またはロケーション・プロセッサ２１０などに電力を供給することができる。以下でさらに論じられるように、予備電源２３８は、ユーザがモバイル・プロセッサ・ベースのデバイス１０４をオフ状態にするか、モバイル・プロセッサ・ベースのデバイスから一次電源２３８を取り外すか、あるいは一次電源を無効化した場合であっても、モバイル・プロセッサ・ベースのデバイス１０４に一定期間（たとえば、２分、１０分、６０分）の間、情報（たとえば、ビーコン信号、位置データ）の送信を継続させることができる。予備電源２３８は、１つまたは複数のキャパシタ、１つまたは複数のスーパーキャパシタ、１つまたは複数のバッテリーなどを含むことができる。少なくともいくつかの実装では、予備電源２６８は、充電可能にすることができ、一次電源２３６から受信された、および／または外部電源（たとえば、ＡＣ電源に結合された電力変換器）から受け取られたエネルギーを蓄積することができる。一般的に、予備電源は、不正使用を防ぐために、ユーザによって簡単に取り外しできるようにすべきではない。
【００５０】
ビーコン１０２（図１）のそれぞれの送信機は、本明細書に記載の技法および方法に従って、多種多様なタイプの信号をブロードキャストまたは放出することができる。一例では、ビーコン１０２の送信機は、Ｂｌｕｅｔｏｏｔｈ（登録商標）またはＢｌｕｅｔｏｏｔｈ（登録商標）Ｌｏｗ  Ｅｎｅｒｇｙ（ＢＬＥ）送信機モジュールを備える。いくつかの構成では、ＢＬＥは、独自の利益を提供することができる。一例では、ＢＬＥのより低い電力要件は、比較的長い期間の間にバッテリーによってビーコン１０２に電力供給することを可能にする。加えて、いくつかのモバイル・プロセッサ・ベースのデバイス１０４において、受信されたＢＬＥ信号のＲＳＳＩは、Ｗｉ−Ｆｉ（登録商標）などの他のタイプの受信された無線信号のＲＳＳＩよりも、デバイスまたはソフトウェア・アプリケーションによって容易にアクセス可能な場合がある。さらに、モバイル・プロセッサ・ベースのデバイスが、指定領域からの無断持ち出し時にビーコン送信機として動作する実装では、ＢＬＥは、一定期間（たとえば、２分、１０分、９０分）の間に予備電源（たとえば、スーパーキャパシタ）によってモバイル・プロセッサ・ベースのデバイスに電力供給することを可能にする。
【００５１】
ＢＬＥの場合、ビーコン１０２のそれぞれは、２．４ＧＨｚのＩＳＭバンドに入る３つのＢＬＥ広告チャネルの１つにおいて送信することができる。３つの広告チャネル、すなわち、Ｂｌｕｅｔｏｏｔｈ（登録商標）４．０プロトコルのチャネル３７、３８、および３９は、それぞれ周波数２４０２ＭＨｚ、２４２６ＭＨｚ、および２４８０ＭＨｚに対応し、これらはそれぞれ１２．５ｃｍ、１２．４ｃｍ、および１２．１ｃｍの波長を有する信号を生成する。
【００５２】
１つまたは複数の実装では、ＢＬＥビーコンは、データが一方向に、各ＢＬＥ送信機からこれら３つのチャネルの１つへ外側にブロードキャストされる、いわゆるＢＬＥ近接プロファイルで動作させることができる。データ・ペイロードは、送信機のための一意の識別子、たとえば、汎用一意識別子（ＵＵＩＤ）を含むことができる。一意の識別子は、受信デバイスによって、信号を互いに区別するために、あるビーコンを他と区別するために、ビーコンに関連付けられた識別情報を決定するために、および／または他の目的で使用されることができる。加えて、送信は、信号の送信電力を示す情報を含むことができる。場合によっては、送信電力は、上記で論じられたＲＳＳＩである。一意の識別子、送信電力、および／または信号に含まれる任意の他の情報は、任意の知られている変調技法または符号化技法の１つまたは複数を使用して変調または符号化されることができる。
【００５３】
図３は、モバイル・プロセッサ・ベースのデバイス３０６Ａ−３０６Ｄ（たとえば、セルフ・ショッピング端末、スマートフォン、タブレット・コンピュータ、ラップトップ・コンピュータ、ウェアラブル・デバイス）が指定領域３０２の中から指定領域外の無許可領域３０４に移動されることを防止するためにビーコン・ベースの盗難防止システムが配備されることができる環境３００の概略図である。ビーコン・ベースの盗難防止システムは、指定領域３０２と無許可領域３０４との間の出口３１０付近に配置される盗難防止ビーコン・システム３０８を含む。少なくともいくつかの実装では、２つ以上の盗難防止ビーコン・システム３０８が、出口３１０付近に配置されることができる。追加的に、複数の出口を有する指定領域について、１つまたは複数の盗難防止ビーコン・システム３０８が、複数の出口のそれぞれの付近に配置されることができる。
【００５４】
指定領域３０４は、屋内または屋外の小売店、ショッピング・センター、会議室、図書館、コンピュータ室、オフィス・スペース、教室、またはモバイル・プロセッサ・ベースのデバイスが留まることが意図される任意の他のタイプの領域とすることができる。モバイル・プロセッサ・ベースのデバイス３０６は、指定領域３０２内に留まる必要がある任意のタイプのモバイル・プロセッサ・ベースのデバイスとすることができる。たとえば、モバイル・プロセッサ・ベースのデバイス３０６Ａ−３０６Ｄは、指定領域３０２内でのショッピング中に使用するために、それぞれ顧客３１２Ａ−３１２Ｄに一時的に提供されるセルフ・ショッピング端末とすることができる。他の例として、モバイル・プロセッサ・ベースのデバイス３０６Ａ−３０６Ｄは、教室で使用するために生徒に提供されるモバイル・コンピュータとすることができる。これらの例は例示的な目的で与えられており、非限定的なものと考えられるべきである。
【００５５】
出口３１０付近に配置された盗難防止ビーコン３０８に加えて、環境３００はまた、指定領域３０２の至る所に配置されたいくつかの他のビーコン３１４Ａ−３１４Ｃを含むことができる。そのような他のビーコン３１４Ａ−３１４Ｃは、位置決定の目的および／または盗難防止の目的で使用されることができる。少なくともいくつかの実装では、盗難防止ビーコン・システムは、無許可領域３０４内の様々な位置に配置されたいくつかの固定ビーコン・リーダ３１６Ａ−３１６Ｂをさらに含むことができる。たとえば、指定領域３０２が小売店である実装では、１つまたは複数の固定ビーコン・リーダ３１６は、小売店の外の歩道に、または小売店に隣接した駐車場に配置されることができる。
【００５６】
動作時に、出口３１０付近に配置された盗難防止ビーコン３０８は、時々（たとえば、１００ミリ秒毎、２秒毎）、ビーコン信号をブロードキャストすることができる。ビーコン信号は、ビーコン３０８の識別子を含む情報、および基準信号強度情報または送信電力情報、たとえば、ビーコンから特定の距離（たとえば、１メートル）におけるＲＳＳＩの予想レベルを符号化することができる。
【００５７】
ビーコン３０８の「範囲内」にあるモバイル・プロセッサ・ベースのデバイス３０６は、ブロードキャストされたビーコン信号を検出し、着信信号の受信信号強度と、受信基準信号強度情報とに基づいて、モバイル・プロセッサ・ベースのデバイスとビーコン３０８との間の距離を評価することができる。一般的に、モバイル・プロセッサ・ベースのデバイス３０６とビーコン３０８との間の距離は、送信において指示された信号の１つまたは複数の送信電力と、それらの信号を受信したモバイル・プロセッサ・ベースのデバイスによって決定されるそれらの信号の受信強度との差分を計算することによって決定されることができる。差分は、たとえば、信号の１つまたは複数の信号強度の減少を決定し、減少と、媒体中の既知の損失特性とに基づいて距離を決定することによって計算されることができる。
【００５８】
上記で論じられたように、モバイル・プロセッサ・ベースのデバイス３０６は、ビーコン・システム３０８のＲＦビーコン送信機からのＲＦビーコン信号を検出する専用または共有のビーコン・ネットワーク・インターフェースが装備される。ＲＦビーコン信号を検出したことに応答して、モバイル・プロセッサ・ベースのデバイス３０６上で実行中のアプリケーションは、モバイル・プロセッサ・ベースのデバイスが指定領域から持ち出される途中であるか、または指定領域から持ち出されたと決定することができる。そのような決定に応答して、モバイル・プロセッサ・ベースのデバイスは、１つまたは複数の盗難防止アクションを実行することができる。
【００５９】
そのような盗難防止アクションは、たとえば、モバイル・プロセッサ・ベースのデバイスの入力インターフェース（たとえば、キー、タッチスクリーン）をロックすること、オーディオ出力（たとえば、アラーム、音声メッセージ）を生成すること、視覚出力（たとえば、点滅光、ディスプレイ上のメッセージ）を生成すること、あるいはモバイル・プロセッサ・ベースのデバイス３０６で実行中の１つまたは複数のアプリケーションを無効化することを含むことができる。
【００６０】
少なくともいくつかの実装では、盗難防止アクションは、モバイル・プロセッサ・ベースのデバイスによってビーコン信号をブロードキャストすることを含むことができる。そのようなビーコン信号は、指定領域３０２の店員３２０（たとえば、従業員）によって操作される１つまたは複数のモバイル・ビーコン・リーダ３１８（たとえば、スマートフォン、タブレット・コンピュータ、ラップトップ・コンピュータ）、ならびに／あるいは指定領域３０２外の無許可領域３０４に配置された１つまたは複数の固定ビーコン・リーダ３１６によって検出可能にすることができる。以下でさらに論じられるように、ビーコン・リーダ３１６および３１８は、モバイル・プロセッサ・ベースのデバイス３０６から受信されたビーコン信号を利用して、モバイル・プロセッサ・ベースのデバイス３０６の位置に関する情報を社員３２０に提供することによって、モバイル・プロセッサ・ベースのデバイスが位置特定され回収されるようにすることができる。
【００６１】
少なくともいくつかの実装では、モバイル・プロセッサ・ベースのデバイス３０６は、一次電源が無効化されている場合に、一定期間（たとえば、２分、１０分、６０分）の間、少なくともビーコン・ネットワーク・インターフェースに電力を供給する予備電源が装備されることができる。そのようなものは、ユーザがモバイル・プロセッサ・ベースのデバイス３０６をオフにするか、またはモバイル・プロセッサ・ベースのデバイスから一次電源（たとえば、バッテリー）を取り外した場合であっても、モバイル・プロセッサ・ベースのデバイスに一定期間の間、ビーコン信号の送信を継続させることができる。
【００６２】
図４は、指定領域からのモバイル・プロセッサ・ベースのデバイスの無断持ち出しを防止するようにビーコン・ベースの盗難防止システムを動作させる方法４００の流れ図である。一般的に、複数のユーザは、それぞれの複数のモバイル・プロセッサ・ベースのデバイスを、指定領域のみでの使用のために（たとえば、指定領域内でのショッピング中に）借りているまたは賃借している場合がある。
【００６３】
４０２において、少なくとも１つの盗難防止ビーコンは、指定領域の出口付近に配置されることができ、これは指定領域を、モバイル・プロセッサ・ベースのデバイスが移動されることが許可されていない無許可領域から分離する。上記で論じられたように、出口付近に配置された盗難防止ビーコンは、少なくとも１つのプロセッサおよび少なくとも１つのＲＦ送信機を含むことができる。
【００６４】
４０４において、時々、盗難防止ビーコンのＲＦ送信機は、ＲＦビーコン信号をブロードキャストする。少なくともいくつかの実装では、盗難防止ビーコンは、低エネルギー無線プロトコル（たとえば、ＢＬＥ）を利用するビーコン・プロトコル（たとえば、ｉＢｅａｃｏｎ（登録商標）、Ｅｄｄｙｓｔｏｎｅ（登録商標））を使用してビーコン信号をブロードキャストする。
【００６５】
４０６において、モバイル・プロセッサ・ベースのデバイスのユーザが、盗難防止ビーコン付近（たとえば、１０メートル以内、２０メートル以内）でモバイル・プロセッサ・ベースのデバイスを保持していることに応答して、モバイル・プロセッサ・ベースのデバイスのＲＦビーコン受信機は、盗難防止ビーコンからＲＦビーコン信号を受信する。
【００６６】
４０８において、モバイル・プロセッサ・ベースのデバイスの少なくとも１つのプロセッサは、受信されたビーコン信号の少なくとも１つの信号特徴を決定することができる。たとえば、少なくとも１つのプロセッサは、受信されたビーコン信号のＲＳＳＩのトレンドを監視して、ユーザがモバイル・プロセッサ・ベースのデバイスを指定領域の出口へ向かって、ひいては盗難防止ビーコンへ向かって移動させた場合の、経時的なＲＳＳＩのパターン（たとえば、増加、減少）を決定することができる。
【００６７】
４１０において、モバイル・プロセッサ・ベースのデバイスの少なくとも１つのプロセッサは、受信されたビーコン信号の決定された少なくとも１つの信号特徴に基づいて、モバイル・プロセッサ・ベースのデバイスが指定領域外から許可領域へ移動されたと決定することができる。たとえば、モバイル・プロセッサ・ベースのデバイスの少なくとも１つのプロセッサは、モバイル・プロセッサ・ベースのデバイスが出口に到達したことを示す最大ＲＳＳＩ値が検出されるまで、ユーザがモバイル・プロセッサ・ベースのデバイスを、指定領域の出口へ向かって、ひいては出口付近に配置された盗難防止ビーコンへ向かって運んだ場合に、改善されたＲＳＳＩを評価することができる。
【００６８】
４１２において、モバイル・プロセッサ・ベースのデバイスが指定領域から持ち出されたと決定したことに応答して、モバイル・プロセッサ・ベースのデバイスの少なくとも１つのプロセッサは、１つまたは複数の盗難防止アクションを実行することができる。そのような盗難防止アクションの例は、図５−７に関連して以下に与えられる。
【００６９】
図５は、モバイル・プロセッサ・ベースのデバイスの一次電源が無効化されている場合に、指定領域からのモバイル・プロセッサ・ベースのデバイスの無断持ち出しを防止するようにビーコン・ベースの盗難防止システムを動作させる方法５００の流れ図である。
【００７０】
５０２において、モバイル・プロセッサ・ベースのデバイスは、モバイル・プロセッサ・ベースのデバイスの通常動作中に、一次電源、たとえば、取り外し可能および／または充電可能バッテリーによって電力供給されることができる。５０４において、モバイル・プロセッサ・ベースのデバイスの少なくとも１つのプロセッサは、モバイル・プロセッサ・ベースのデバイスが指定領域から持ち出されたと決定することができる。そのようなものは、たとえば、上記で論じられ、図４に示された方法４００を使用して決定されることができる。
【００７１】
５０６において、モバイル・プロセッサ・ベースのデバイスの一次電源が無効化されていると決定されることができる。たとえば、一次電源が取り外し可能バッテリーを備える実装では、ユーザがバッテリーを取り外したと決定されることができる。追加的または代替的には、ユーザがモバイル・プロセッサ・ベースのデバイスを電源オフ状態にしたと決定されることができる。
【００７２】
５０８において、一次電源が無効化されていることに応答して、モバイル・プロセッサ・ベースのデバイスのビーコン・ネットワーク・インターフェースは、予備電源を使用して電力供給されることができる。少なくともいくつかの実装では、行為５０６および５０８は、たとえば、一次電源が無効化されている場合に予備電源を使用してビーコン・ネットワーク・インターフェースに自動的に電力供給する回路を設けることによって、自律的に実装されることができる。予備電源は、１つまたは複数のキャパシタ、１つまたは複数のスーパーキャパシタ、１つまたは複数のバッテリーなどを含むことができる。したがって、ユーザが一次電源を無効化している可能性があっても、モバイル・プロセッサ・ベースのデバイスは、ビーコン・ネットワーク・インターフェースを介してビーコン信号を送信および／または受信するようになおも動作する。少なくともいくつかの実装では、予備電源は、追加的に、モバイル・プロセッサ・ベースのデバイスの１つまたは複数の他の構成要素、たとえば、１つまたは複数のプロセッサ、Ｉ／Ｏサブシステム（たとえば、ディスプレイ、スピーカー）、通信サブシステム（たとえば、Ｗｉ−Ｆｉ、セルラー、Ｂｌｕｅｔｏｏｔｈ（登録商標））、カメラ・サブシステム、ロケーション・プロセッサまたはサブシステムなどに電力を供給することができる。
【００７３】
図６は、指定領域からのモバイル・プロセッサ・ベースのデバイスの無断持ち出しを防止するようにビーコン・ベースの盗難防止システムを動作させる方法６００の流れ図である。６０２において、モバイル・プロセッサ・ベースのデバイスの少なくとも１つのプロセッサは、モバイル・プロセッサ・ベースのデバイスが指定領域から持ち出されたと決定する。そのようなものは、たとえば、上記で論じられ、図４に示された方法４００を使用して決定されることができる。
【００７４】
６０４において、モバイル・プロセッサ・ベースのデバイスが指定領域から持ち出されたと決定したことに応答して、モバイル・プロセッサ・ベースのデバイスの少なくとも１つのプロセッサは、モバイル・プロセッサ・ベースのデバイスの動作を修正する。そのような修正は、たとえば、モバイル・プロセッサ・ベースのデバイスの入力インターフェース（たとえば、キー、タッチスクリーン）をロックすること、オーディオ出力（たとえば、アラーム、音声メッセージ）を生成すること、視覚出力（たとえば、点滅光、ディスプレイ上のメッセージ）を生成すること、あるいはモバイル・プロセッサ・ベースのデバイス上で実行中の１つまたは複数のアプリケーションを無効化することを含むことができる。
【００７５】
６０６において、モバイル・プロセッサ・ベースのデバイスが指定領域から持ち出されたと決定したことに応答して、少なくとも１つのプロセッサは、追加的または代替的に、データを送信またはブロードキャストすることができる。たとえば、少なくとも１つのプロセッサは、適切な無線ネットワーク（たとえば、Ｗｉ−Ｆｉ、セルラー）を介してデータを送信することができ、そのデータは、指定領域に関連する社員、たとえば、店舗の従業員によって受信されることができる。一例として、データは、モバイル・プロセッサ・ベースのデバイスから利用可能な位置情報（たとえば、ＧＰＳデータ、Ｗｉ−Ｆｉ位置データ、ビーコン位置データ）を含むことができ、これは、モバイル・プロセッサ・ベースのデバイスが指定領域から持ち出された後に、社員がモバイル・プロセッサ・ベースのデバイスを位置特定するのを補助することができる。
【００７６】
図７は、指定領域からのモバイル・プロセッサ・ベースのデバイスの無断持ち出しを防止するようにビーコン・ベースの盗難防止システムを動作させる方法７００であって、指定領域から持ち出されたことに応答して、モバイル・プロセッサ・ベースのデバイスが１つまたは複数のビーコン・リーダによって検出可能なビーコン信号の送信を開始する、方法７００の流れ図である。
【００７７】
７０２において、モバイル・プロセッサ・ベースのデバイスの少なくとも１つのプロセッサは、モバイル・プロセッサ・ベースのデバイスが指定領域から持ち出されたと決定する。そのようなものは、たとえば、上記で論じられ、図４に示された方法４００を使用して決定されることができる。
【００７８】
７０４において、モバイル・プロセッサ・ベースのデバイスの少なくとも１つのプロセッサは、任意選択により、モバイル・プロセッサ・ベースのデバイスの一次電源が無効化されている（たとえば、バッテリーが取り外された、モバイル・プロセッサ・ベースのデバイスの電源が切られた）場合に、モバイル・プロセッサ・ベースのデバイスのビーコン・ネットワーク・インターフェースに予備電源で電力供給する。そのような特徴は、モバイル・プロセッサ・ベースのデバイスの一次電源が無効化されている場合であっても、ビーコン・ネットワーク・インターフェースが一定期間動作することを可能にする。
【００７９】
７０６において、時々（たとえば、５０ミリ秒毎、２秒毎、２０秒毎）、ビーコン・ネットワーク・インターフェースは、モバイル・プロセッサ・ベースのデバイスが指定領域外（すなわち、無許可領域内）にある場合に、ビーコン信号をブロードキャストする。
【００８０】
７０８において、少なくとも１つのビーコン・リーダは、モバイル・プロセッサ・ベースのデバイスによってブロードキャストされたビーコン信号を検出する。たとえば、指定領域に関連する社員、たとえば、店舗の従業員は、無許可領域から持ち出されたモバイル・プロセッサ・ベースのデバイスによってブロードキャストされるビーコン信号を検出するビーコン・リーダとして機能するモバイル・プロセッサ・ベースのデバイス（たとえば、スマートフォン、タブレット・コンピュータ）を保持することができる。ビーコン・リーダは、任意の適切な方法（たとえば、ＲＳＳＩ強度）を使用して、受信されたビーコン信号に基づいて、モバイル・プロセッサ・ベースのデバイスの推定位置を決定することができる。
【００８１】
７１０において、ビーコン・リーダは、そのような位置情報を社員に提示して、社員がモバイル・プロセッサ・ベースのデバイスを位置特定できるようにすることができる。たとえば、ビーコン・リーダは、指定領域から持ち出されたモバイル・プロセッサ・ベースのデバイスの現在位置の標識を提供するマップをディスプレイに提示することができる。
【００８２】
少なくともいくつかの実装では、いくつかの固定および／またはモバイル・ビーコン・リーダが、許可領域外に配置されることができる。そのような実装では、ビーコン・リーダの１つまたは複数は、モバイル・プロセッサ・ベースのデバイスからブロードキャストされたビーコン信号を検出し、そのような信号を利用して、位置情報を指定領域に関連する社員に提供することができる。ＲＳＳＩ強度、二辺測量（ｂｉｌａｔｅｒａｔｉｏｎ）、三角測量などを含む様々な位置特定技法が、指定領域から持ち出されたモバイル・プロセッサ・ベースのデバイスの位置を決定するために使用されることができる。実装される特定の技術は、モバイル・プロセッサ・ベースのデバイスからブロードキャストされたビーコン信号を同時に検出することが可能なビーコン・リーダの数に依存することができる。したがって、そのような位置情報を使用して、社員は、指定領域から持ち出されたモバイル・プロセッサ・ベースのデバイスを位置特定し、および／または回収することができてもよい。
【００８３】
前述の詳細な説明は、ブロック図、概略図および例を使用して、デバイスおよび／または処理の様々な実装を記載している。そのようなブロック図、概略図および例が１つまたは複数の機能および／または動作を含む限り、そのようなブロック図、フローチャート、または例における各機能および／または動作が、広範なハードウェア、ソフトウェア、ファームウェア、または実質的に任意のそれらの組み合わせによって個別におよび／または集合的に実装されることができることは当業者には理解されよう。一実装では、本主題は特定用途向け集積回路（ＡＳＩＣ）によって実装されることができる。しかしながら、本明細書で開示された実装が、全体的または部分的に、標準的な集積回路において、１つまたは複数のコンピュータで動作する１つまたは複数のコンピュータプログラムとして（たとえば、１つまたは複数のコンピュータ・システムで動作する１つまたは複数のプログラムとして）、１つまたは複数のコントローラ（たとえば、マイクロコントローラ）で動作する１つまたは複数のプログラムとして、１つまたは複数のプロセッサ（たとえば、マイクロプロセッサ）で動作する１つまたは複数のプログラムとして、ファームウェアとして、あるいは実質的に任意のそれらの組み合わせとして等価的に実装されることができ、回路を設計すること、ならびに／あるいはソフトウェアおよび／またはファームウェアのコードを書くことが、本開示に照らせば十分に当業者の技術の範囲内であることを当業者は認識するであろう。
【００８４】
本明細書に記載の方法またはアルゴリズムの多くが、追加の行為を採用することができ、いくつかの行為を省略することができ、および／または、指定とは異なる順序で行為を実行することができることを当業者は認識するであろう。
【００８５】
加えて、本明細書で教示されたメカニズムが、多様な形態のプログラム製品として配布されることができ、配布を実際に行うために使用される信号担持媒体の特定のタイプとは無関係に、例示的な実装が同様に適用されることを当業者は理解するであろう。信号担持媒体の例は、限定はされないが、記録可能タイプの媒体、たとえば、フロッピー・ディスク、ハード・ディスク・ドライブ、ＣＤ  ＲＯＭ、デジタル・テープ、およびコンピュータ・メモリを含む。
【００８６】
上述の様々な実装は、さらなる実装を提供するために組み合わせられることができる。実装の態様は、様々な特許、出願および公開のシステム、回路および概念を採用してさらに他の実装を提供するために、必要であれば修正されることができる。
【００８７】
これらおよび他の変更が、上記の詳細な説明に照らして実装になされることができる。概して、以下の特許請求の範囲では、使用される用語は、本明細書および特許請求の範囲で開示された特定の実装に特許請求の範囲を限定するように解釈されるべきではなく、そのような特許請求の範囲が権利を有する等価物の全範囲に沿った全ての可能な実装を含むように解釈されるべきである。したがって、特許請求の範囲は本開示によって限定されるものではない。
【符号の説明】
【００８８】
１００  盗難防止ビーコン・システム
１０２  ビーコン、ビーコン・システム
１０２Ａ−Ｃ  ビーコン、ビーコン・システム
１０４  モバイル・プロセッサ・ベースのデバイス、セルフ・ショッピング端末
１０４Ａ−Ｂ  モバイル・プロセッサ・ベースのデバイス
１１０  有線／無線ネットワーク
１１２  無線ネットワーク
１１４  ワイド・エリア・ネットワーク
１１６  ゲートウェイ
１１８  アクセス・ポイント
１２０  サービス
２０２  プロセッサ
２０４  メモリ・インターフェース
２０６  周辺機器インターフェース
２０８  センサ・サブシステム
２１０  ロケーション・プロセッサ
２１２  カメラ・サブシステム
２１４  オーディオ・サブシステム
２１６  Ｉ／Ｏサブシステム
２１８  通信サブシステム
２２０  メモリ
２２２  オペレーティング・システム（ＯＳ）
２２４  通信
２２６  ＧＵＩ
２２８  電話
２３０  アプリケーション
２３２  ビーコン
２３４  ビーコン・ネットワーク・インターフェース
２３６  一次電源
２３８  予備電源
３００  環境
３０２  指定領域
３０４  無許可領域
３０６Ａ−Ｄ  モバイル・プロセッサ・ベースのデバイス
３０８  盗難防止ビーコン・システム
３１０  出口
３１２Ａ−Ｄ  顧客
３１４Ａ−Ｃ  ビーコン
３１６Ａ−Ｂ  固定ビーコン・リーダ
３１８  モバイル・ビーコン・リーダ
３２０  社員
【図１】
2018081690.tif 000003
【図２】
2018081690.tif 000004
【図３】
2018081690.tif 000005
【図４】
2018081690.tif 000006
【図５】
2018081690.tif 000007
【図６】
2018081690.tif 000008
【図７】
2018081690.tif 000009
【外国語明細書】
2018081690000001.pdf